(57)【要約】【課題】拡散部材とこの拡散部材を備える発光装置及びこの発光装置を備える表示装置を提供する。【解決手段】互いに対向配置されて、真空容器を構成する第１基板及び第２基板、前記第１基板に提供される電子放出ユニット、前記第２基板に提供され、前記電子放出ユニットから放出された電子によって、発光する発光ユニット、前記第１基板と前記第２基板の間隔を維持するスペーサ及び前記第２基板上部に位置する透過率８０％以上を有する拡散部材を含む。これにより、画面の動的対コントラスト比を向上させることができてより鮮明な画質を実現でき、全体的に低い消費電力で優秀な効率を得ることができる。【選択図】図２
2008135391.tif 000002
【特許請求の範囲】
【請求項１】
面光源から放出された光を前方に均一に分散させて、非自発光装置のためのバックライトユニットに適用される拡散部材において、
前記拡散部材は、８０％以上の透過率を有することを特徴とする、バックライトユニット用拡散部材。
【請求項２】
前記拡散部材は、２層構造から成ることを特徴とする、請求項１に記載のバックライトユニット用拡散部材。
【請求項３】
前記拡散部材は、拡散板及び前記拡散板上に積層される拡散シートを含むことを特徴とする、請求項２に記載のバックライトユニット用拡散部材。
【請求項４】
互いに対向配置されて、真空容器を構成する第１基板及び第２基板と、
前記第１基板に設けられる電子放出ユニットと、
前記第２基板に設けられ、前記電子放出ユニットから放出された電子を受容して発光する発光ユニットと、
前記第１基板と前記第２基板との間隔を維持するスペーサと、
前記第２基板の上部に位置する透過率８０％以上を有する拡散部材と、
を含むことを特徴とする、発光装置。
【請求項５】
前記電子放出ユニットは、
互いに絶縁状態を維持しながら、互いに交差する方向に沿って形成される第１電極及び第２電極と、
前記第１電極と前記第２電極のうちの何れか一つの電極に電気的に接続される電子放出部と、
を含むことを特徴とする、請求項４に記載の発光装置。
【請求項６】
前記発光ユニットは、蛍光層と、前記蛍光層の一面に形成されるアノード電極とを含み、
前記アノード電極は、１０ｋＶ以上の電圧が印加されることを特徴とする、請求項５に記載の発光装置。
【請求項７】
前記蛍光層は、複数に分離形成され、前記蛍光層の間に黒色層が更に形成されることを特徴とする、請求項６に記載の発光装置。
【請求項８】
前記拡散部材は、前記第２基板の上面から５ｍｍ〜１０ｍｍだけ離隔されて配置されることを特徴とする、請求項４に記載の発光装置。
【請求項９】
前記拡散部材は、２層構造から成ることを特徴とする、請求項４に記載の発光装置。
【請求項１０】
前記拡散部材は、前記第２基板上部に位置する拡散板及び当該拡散板上に積層される拡散シートを含むことを特徴とする、請求項４に記載の発光装置。
【請求項１１】
前記電子放出部が、炭素ナノチューブ、黒鉛、炭素ナノファイバー、ダイヤモンド、ダイヤモンド状炭素、フラーレン（Ｃ６０）、シリコンナノワイヤーまたはこれらの組み合わせを含むことを特徴とする、請求項５に記載の発光装置。
【請求項１２】
請求項４〜請求項１１のうちの何れか一項に記載の発光装置と、
前記発光装置から放出された光の進行方向に対して前記発光装置の前方に位置して、前記発光装置から放出された光を提供されて、画像を表示するパネル組立体と、
を含むことを特徴とする、表示装置。
【請求項１３】
前記パネル組立体は、複数の第１画素を有し、
前記発光装置は、前記第１画素より少ない個数の第２画素を有し、前記第２画素ごとに互いに異なる強度の光を放出し、
１つの前記第２画素と、複数の前記第１画素とが対応していることを特徴とする、請求項１２に記載の表示装置。
【請求項１４】
前記第１画素は、行方向に沿ってＭ個、列方向に沿ってＮ個で構成され、
前記ＭとＮがそれぞれ２４０以上の整数であることを特徴とする、請求項１３に記載の表示装置。
【請求項１５】
前記第２画素は、前記行方向に沿ってＭ’個、前記列方向に沿ってＮ’個で構成され、
前記Ｍ’とＮ’がそれぞれ２〜９９のうちの何れか一つの整数であることを特徴とする、請求項１４に記載の表示装置。
【請求項１６】
前記パネル組立体は、液晶表示パネル組立体であることを特徴とする、請求項１２に記載の表示装置。
【発明の詳細な説明】
【技術分野】
【０００１】
本発明は、発光装置及びこれを備える表示装置に係り、より詳しくは、発光装置の拡散部材に関するものである。
【背景技術】
【０００２】
最近、平板表示装置の一種として液晶表示装置が陰極線管（ＣＲＴ：Ｃａｔｈｏｄｅ  Ｒａｙ  Ｔｕｂｅ）を代替して、幅広く使用されている。
【０００３】
この液晶表示装置は、外部光源の助けを受けて、画像を表示する代表的な非自発光ディスプレイであって、基本的に液晶パネル組立体と、液晶パネル組立体に光を提供するバックライトユニットを含み、前記液晶パネル組立体はバックライトユニットから放出される光が提供されて、この光を液晶層の作用で透過または遮断させることによって所定の画像を実現する。
【０００４】
バックライトユニットは、光源の種類によって区分できるが、そのうちの一つに冷陰極蛍光ランプ（Ｃｏｌｄ  Ｃａｔｈｏｄｅ  Ｆｌｕｏｒｅｓｃｅｎｔ  Ｌａｍｐ；以下、‘ＣＣＦＬ’という。）方式が公知になっている。ＣＣＦＬは線光源であるためＣＣＦＬで発生した光を拡散シート、拡散板及びプリズムシートのような光学部材によって、液晶パネル組立体に向かって均等に分散させることができる。
【０００５】
しかしながら、ＣＣＦＬ方式ではＣＣＦＬで発生した光が光学部材を経るようになるので相当な光損失が発生し、このような光損失を考慮してＣＣＦＬで強い強度の光を放出しなければならないので消費電力が大きい短所がある。また、ＣＣＦＬ方式は構造上大面積化が難しいので大型表示装置（例えば、３０インチ以上）に適用が難しい限界がある。
【０００６】
他方、バックライトユニットとして発光ダイオード（Ｌｉｇｈｔ  Ｅｍｉｔｔｉｎｇ  Ｄｉｏｄｅ；以下、‘ＬＥＤ’という。）方式が公知になっている。ＬＥＤは、点光源として通常複数に備えられながら反射シート、導光板、拡散シート、拡散板及びプリズムシートなどの光学部材と組み合わせられることによってバックライトユニットを構成する。このようなＬＥＤ方式は応答速度が速くて色再現性に優れた長所があるが、値段が高くてバックライトユニットの厚さを厚くして装置の薄膜化を邪魔する。
【０００７】
これにより、最近ではＣＣＦＬ方式とＬＥＤ方式を代替するバックライトユニットとして電界による電子放出特性を用いて、光を出す電界放出型バックライトユニットが提案されている。
【０００８】
ところで、電界放出型バックライトユニットは、面光源であるため線光源のＣＣＦＬと点光源のＬＥＤとは違って、バックライトユニットから放出される光を均一化させる必要性は小さくなり、これにより電界放出型バックライトユニットに適用される光学部材はＣＣＦＬ及びＬＥＤに適用される光学部材とは違う特性を持たなければならないものである。
【０００９】
一方、前記光学部材において拡散板と拡散シートは、バックライトユニットの光源から放出された光を分散させる役割を果たすが、今までに公知となっている拡散板と拡散シートは透過率が低くて、これによる光損失が大きいのでバックライトユニットの輝度減少を招いている。
【００１０】
さらに、一般的なバックライトユニットは、表示装置駆動時一定した明るさでいつも点灯させているので、表示装置に要求される画質改善に符合しにくい問題がある。
【００１１】
例えば、液晶パネル組立体が映像信号によって明るい部分と暗い部分を含む任意の画面を表示する場合、バックライトユニットが明るい部分を表示する領域と暗い部分を表示する領域に互いに異なる強度の光を提供すれば動的対コントラスト比に優れた画面を実現できるものである。
【発明の開示】
【発明が解決しようとする課題】
【００１２】
しかしながら、今までのバックライトユニットとしては、前述した機能を実現できなくて、表示装置が向上した動的対コントラスト比を有する画面を実現することに限界を有する。
【００１３】
そこで、本発明の目的は、面光源に適した最適の透過率を有する拡散部材を含む発光装置及びこの発光装置を備えることにより、光損失を減少させることができる表示装置を提供することにある。
【００１４】
また、本発明の他の目的は、発光面を複数領域に分割して分割された領域別に発光強度を独立的に制御できる発光装置及びこの発光装置を備えることにより、画面の動的対コントラスト比を高めることができる表示装置を提供することにある。
【課題を解決するための手段】
【００１５】
上記課題を解決するために、本発明のある観点によれば、面光源から放出された光を前方に均一に分散させて、非自発光装置のバックライトユニットに適用される拡散部材において、８０％以上の透過率を有する拡散部材が提供される。
【００１６】
前記拡散部材は２層構造から成ることができ、例えば拡散部材は拡散板及びこの拡散板上に積層される拡散シートを含むことができる。
【００１７】
上記課題を解決するために、本発明の他の観点によれば、互いに対向配置されて真空容器を構成する第１基板及び第２基板と、前記第１基板に設けられる電子放出ユニットと、前記第２基板に設けられ、前記電子放出ユニットから放出された電子を受容して発光する発光ユニットと、前記第１基板と前記第２基板の間隔を維持するスペーサと、前記第２基板上部に位置して透過率８０％以上を有する拡散部材と、を含む発光装置が提供される。
【００１８】
前記電子放出ユニットは互いに絶縁状態を維持しながら、互いに交差する方向に沿って形成される第１電極と第２電極及び前記第１電極と第２電極のうちの何れか一つの電極に電気的に連結される電子放出部を含むことができる。
【００１９】
前記発光ユニットは蛍光層と、この蛍光層の一面に形成されるアノード電極を含み、前記アノード電極は１０ｋＶ以上の電圧が印加できる。
【００２０】
前記蛍光層は複数に分離形成され、前記蛍光層間に黒色層が更に形成できる。
【００２１】
前記拡散部材は前記第２基板の上面から５ｍｍ〜１０ｍｍに離隔されて位置できる。
【００２２】
前記電子放出部は、炭素ナノチューブ、黒鉛、炭素ナノファイバー、ダイヤモンド、ダイヤモンド状炭素、フラーレン（Ｃ６０）、シリコンナノワイヤーまたはこれらの組み合わせを含むことができる。
【００２３】
本発明のまた他の実施形態による表示装置は、前記発光装置から放出された光の進行方向に対して前記発光装置と前記発光装置の前方に位置して、前記発光装置から放出された光を提供されて、画像を表示するパネル組立体を含む。
【００２４】
前記パネル組立体は複数の第１画素を有し、前記発光装置は前記第１画素より小さい個数の第２画素を有し、前記第２画素別に互いに異なる強度の光を放出でき、１つの前記第２画素と、複数の前記第１画素とが対応している。
【００２５】
前記第１画素は行方向に沿ってＭ個、列方向に沿ってＮ個で構成され、前記ＭとＮはそれぞれ２４０以上の整数でありうる。
【００２６】
前記第２画素は前記行方向に沿ってＭ’個、前記列方向に沿ってＮ’個で構成され、前記Ｍ’とＮ’はそれぞれ２〜９９のうちの何れか一つの整数でありうる。
【００２７】
前記パネル組立体は液晶表示パネル組立体でありうる。
【発明の効果】
【００２８】
本発明による表示装置は前述した過程によって、画面の動的対コントラスト比を向上させることができてより鮮明な画質を実現できる。
【００２９】
また、本発明の表示装置は面光源の発光装置を備えて、透過率の高い拡散部材を含む。したがって拡散部材を経ながら発生する光損失が最少化され、光損失を考慮して、発光装置で過度な強度の光を放出しなくてもよいので、本発明の表示装置は全体的に低い消費電力で優秀な効率を得ることができる。
【００３０】
さらに、本発明の発光装置は大型化が容易であるので、３０インチ以上の大型表示装置に容易に適用できる。
【００３１】
加えて、前述した発光装置を備える表示装置は画面の動的対コントラスト比を高めて、表示品質を向上させ、バックライトユニットの消費電力を減らして、全体消費電力を低めることができて３０インチ以上の大型表示装置で容易に製作できる。
【発明を実施するための最良の形態】
【００３２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３３】
図１は、本発明の一実施形態による発光装置の部分分解斜視図であり、図２は本発明の一実施形態による発光装置の部分拡大分解斜視図であり、図３は本発明の一実施形態による発光装置の部分拡大断面図である。
【００３４】
図１〜図３を参照すれば、本実施形態の発光装置（１０Ａ）は所定の間隔をおいて平行に対向配置される第１基板１２と第２基板１４を含む。第１基板１２と第２基板１４の周縁には密封部材１３が配置されて、両基板１２、１４を接合させて、内部空間がほぼ１０−６Ｔｏｒｒの真空度で排気されて、第１基板１２と第２基板１４及び密封部材１３が真空容器を構成する。
【００３５】
第１基板１２と第２基板１４は、密封部材１３内側で実際可視光放出に寄与する有効領域と、有効領域を囲む非有効領域に区分される。第１基板１２の有効領域には電子放出のための電子放出ユニット１８が提供され、第２基板１４の有効領域には可視光放出のための発光ユニット２０が提供される。
【００３６】
電子放出ユニット１８は、絶縁層２４を間において互いに交差する方向に沿って帯状パターンに形成される第１電極２２及び第２電極２６と、第１電極２２と第２電極２６のうちの何れか一つの電極に電気的に連結される電子放出部２８を含む。
【００３７】
電子放出部２８が第１電極２２に形成される場合、第１電極２２が電子放出部２８に電流を供給するカソード電極になって、第２電極２６がカソード電極との電圧差によって、電界を形成して電子放出を誘導するゲート電極になる。
【００３８】
反対に電子放出部２８が第２電極２６に形成される場合、第２電極２６がカソード電極になって、第１電極２２がゲート電極になる。
【００３９】
第１電極２２と第２電極２６のうち発光装置（１０Ａ）の行方向（図面のｘ軸方向）に沿って位置する電極が走査電極として機能して、発光装置（１０Ａ）の列方向（図面のｙ軸方向）に沿って位置する電極がデータ電極として機能する。
【００４０】
第１電極２２と第２電極２６の交差領域毎に第２電極２６と絶縁層２４にはそれぞれの開口部２６１、２４１が形成されてこれによって第１電極２２の表面一部が露出され、絶縁層２４の開口部２４１内側で第１電極２２の上には電子放出部２８が位置する。
【００４１】
電子放出部２８は、所定の厚さと直径を有する一種の電子放出層として真空中で電界が加えられれば電子を放出する物質、たとえ炭素系物質またはナノメートルサイズ物質から成ることができる。
【００４２】
電子放出部２８は、例えば炭素ナノチューブ、黒鉛、炭素ナノファイバー、ダイヤモンド、ダイヤモンド状炭素、フラーレン（Ｃ６０）、シリコンナノワイヤーまたはこれらの組み合わせ物質を含むことができ、その製造法でスクリーン印刷、直接成長、化学気相蒸着またはスパッタリングなどを適用できる。
【００４３】
電子放出部２８は電子ビーム広がり特性を考慮して、第１電極２２と第２電極２６の交差領域のうちこれの周縁を除外して主に中間部分に集まって位置できる。
【００４４】
前述した構造で第１電極２２と第２電極２６の交差領域一つが発光装置（１０Ａ）の一つの画素領域に対応したり、２個以上の交差領域が発光装置（１０Ａ）の一つの画素領域に対応できる。後者の場合一つの画素領域に対応する２個以上の第１電極２２または２個以上の第２電極２６は互いに電気的に連結されて、同一な駆動電圧が印加できる。
【００４５】
次に、発光ユニット２０は蛍光層３０と、蛍光層３０の一面に位置するアノード電極３２を含む。蛍光層３０は白色蛍光層から成るか、或いは赤色と緑色及び青色蛍光層が組み合わせられた構成から成ることができる。図１〜図３では前者の場合を示した。
【００４６】
蛍光層３０が白色蛍光層から成る場合、この蛍光層は第２基板１４の全面に形成されたり、画素領域毎に位置するように所定のパターンに区分されて位置できる。
【００４７】
他方、蛍光層３０が赤色、緑色及び青色から成る場合、この蛍光層は一つの画素領域内で所定のパターンに区分されて位置できる。
【００４８】
アノード電極３２は、蛍光層３０表面を覆うアルミニウム（Ａｌ）のような金属膜から成ることができる。アノード電極３２は電子ビームを引き寄せる加速電極として高電圧が印加されて蛍光層３０を高電位状態で維持させて、蛍光層３０から放射した可視光のうち第１基板１２に向かって放射した可視光を第２基板１４側に反射させて画面の輝度を高める。
【００４９】
そして第１基板１２と第２基板１４との間には真空容器に加えられる圧縮力を支持して両基板１２、１４の間隔を一定に維持させるスペーサ３４が配置される。スペーサ３４は、第１電極２２と第２電極２６の交差領域外郭に位置し、例えば第２電極２６の間に位置できる。このスペーサ３４はガラスまたはセラミックで製作できる。
【００５０】
前述した構成の発光装置（１０Ａ）は真空容器外部から第１電極２２と第２電極２６に所定の駆動電圧を印加し、アノード電極３２に数千ボルト以上の正の直流電圧を印加して駆動する。
【００５１】
そうすれば、第１電極２２と第２電極２６の電圧差が臨界値以上である画素で電子放出部２８周囲に電界が形成されてこれから電子が放出されて、放出された電子はアノード電圧に引かれて、対応する蛍光層３０部位に衝突することによってこれを発光させる。画素別蛍光層３０の発光強度は当該画素の電子ビーム放出量に対応する。
【００５２】
一方、前述した実施形態で第１基板１２と第２基板１４は５ｍｍ〜２０ｍｍの間隔をおいて位置できる。アノード電極３２はアノードパッド部を通して、１０ｋＶ以上、好ましくは、１０ｋＶ〜１５ｋＶ程度の高電圧が提供できる。本実施形態の発光装置は前述した構成によって、有効領域中央部でほぼ１０，０００ｃｄ／ｍ２以上の最大輝度を実現できる。
【００５３】
本発明の実施形態による発光装置（１０Ａ）は第２基板１４の上部に蛍光層３０から放出された光を分散及び散乱させる８０％以上の透過率を有する拡散部材３６を含む。
【００５４】
透過率が８０％未満になれば、下表１に示すように、拡散部材３６による光損失が大きくなって、発光装置の全体的な輝度が顕著に減少する。なお、下記表１は拡散部材３６を通過した発光装置（１０Ａ）の輝度値を透過率により示したものであって、透過率８０％未満の場合、輝度値が顕著に落ちるものを示す。
【００５５】
【表１】
2008135391.tif 000003
【００５６】
拡散部材３６の光透過率は拡散部材３６の発泡率と素材により変わることがある。たとえ拡散部材はその素材により波長による光透過率を異にすることができる。一般的な拡散部材の素材はポリスチレンなどを含む。
【００５７】
そして、拡散部材３６は第２基板１４との間隔（Ｇ）が５ｍｍ〜１０ｍｍになるように第２基板１４の上面と離隔されて位置できる。この間隔（Ｇ）が５ｍｍ未満になれば、発光できない蛍光層３０によって発生するかも知れない画面の欠陥を除去しにくくて、間隔（Ｇ）が１０ｍｍを超過すれば、発光装置の全体的なサイズが厚くなるだけでなく、距離による光損失が大きくなる問題がある。
【００５８】
図４は、本発明の他の実施形態による発光装置の斜視図である。
【００５９】
図４を参照すれば、本発明の実施形態による発光装置（１０Ｂ）は単一層でない２層構造から成る拡散部材３８を含む。例えば、拡散部材３８は第２基板１４上部に形成される拡散板３８１とこの拡散板３８１の上に積層される拡散シート３８２を含むことができる。拡散板３８１はハードな材質として形成され、拡散シート３８２はフレキシブルな材質として形成される。発光装置が大型の場合、拡散板３８１は拡散シート３８２が第２基板１４上で何れか一方に垂れたり、しわくちゃになる現象を防止する機能と同時にする。
【００６０】
図５は本発明の一実施形態による表示装置の分解斜視図である。
【００６１】
図５を参照すれば、本実施形態の表示装置５０は行方向と列方向に沿って複数の画素を形成するパネル組立体５２と、パネル組立体５２後方に位置して、パネル組立体５２に光を提供する発光装置（１０Ａ）を含む。パネル組立体５０としては液晶パネル組立体が適用でき、発光装置（１０Ａ）としては図１〜図３に示す発光装置が提供されてパネル組立体５０に光を供給する。
【００６２】
前述した行方向は表示装置５０の一方向、例えばパネル組立体５２が実現する画面の水平方向（図面のｘ軸方向）に定義できて、列方向は表示装置５０の他の一方向、例えばパネル組立体５２が実現する画面の垂直方向（図面のｙ軸方向）に定義できる。
【００６３】
本実施形態で発光装置（１０Ａ）は行方向と列方向に沿ってパネル組立体５２より小さい数の画素を形成して、発光装置（１０Ａ）の一つの画素が複数のパネル組立体５２画素に対応するようにする。
【００６４】
行方向によるパネル組立体５２の画素数と列方向によるパネル組立体５２の画素数をそれぞれＭとＮとすれば、ＭとＮは２４０以上の整数として定義できる。そして行方向による発光装置（１０Ａ）の画素数と列方向による発光装置（１０Ａ）の画素数をそれぞれＭ’とＮ’とすれば、Ｍ’とＮ’は２〜９９のうちの何れか一つの整数として定義できる。
【００６５】
発光装置（１０Ａ）はＭ’×Ｎ’の解像度を有する一種の自発光表示パネルであり、画素別に発光強度が独立的に制御されて各画素に対応するパネル組立体５２の画素に適切な強度の光を提供する。
【００６６】
この時、Ｍ’とＮ’の最小数値の２は本実施形態の発光装置（１０Ａ）が表示パネルになることができる最小限の基本条件になる。そして発光装置の解像度が９９×９９を超過すれば発光装置（１０Ａ）の駆動が複雑になって駆動回路製作のための高コストを招く恐れがあるので、Ｍ’とＮ’の最大数値の９９は発光装置（１０Ａ）の機能性と製造容易性などを考慮した数値といえる。
【００６７】
図６は図５に示す表示装置を駆動する駆動部のブロック図である。
【００６８】
図６を参照すれば、表示装置の駆動部はパネル組立体５２に連結された第１走査駆動部１０２及び第１データ駆動部１０４と、第１データ駆動部１０４に連結された階調電圧生成部１０６と、発光装置（１０Ａ）の表示部１１６に連結された第２走査駆動部１１４及び第２データ駆動部１１２と、発光装置（１０Ａ）を制御する発光装置制御部１１０と、発光装置制御部１１０を含み、パネル組立体５２を制御する信号制御部１０８を含む。
【００６９】
パネル組立体５２は等価回路から見る時、複数の信号線（Ｓ１−Ｓｎ、Ｄ１−Ｄｍ）と、この信号線に連結され、ほぼ行列の形態で配列された複数の第１画素（ＰＸ）を含む。
信号線（Ｓ１−Ｓｎ、Ｄ１−Ｄｍ）は第１走査信号を伝達する複数の第１走査ライン（Ｓ１−Ｓｎ）と、第１データ信号を伝達する複数の第１データライン（Ｄ１−Ｄｍ）を含む。
【００７０】
各画素（ＰＸ）、例えばｉ番目（ｉ＝１、２、．．．ｎ）第１走査ライン（Ｓｉ）とｊ番目（ｊ＝１、２、．．．ｍ）第１データライン（Ｄｊ）に連結された画素５４は信号線（Ｓｉ、Ｄｊ）に連結されたスイッチング素子（Ｑ）とこれに連結された液晶キャパシタ（Ｃｌｃ）及びストレージキャパシタ（Ｃｓｔ）を含む。ストレージキャパシタ（Ｃｓｔ）は必要に応じて省略できる。
【００７１】
スイッチング素子（Ｑ）はパネル組立体５２の下部基板（図示せず）に備えられる薄膜トランジスターなどの三端子素子として、その制御端子は第１ゲートライン（Ｓｉ）に連結され、入力端子は第１データライン（Ｄｊ）に連結され、出力端子は液晶キャパシタ（Ｃｌｃ）及びストレージキャパシタ（Ｃｓｔ）と連結されている。
【００７２】
階調電圧生成部１０６は、第１画素（ＰＸ）の透過率と関連された二対の階調電圧集合（または基準階調電圧集合）を生成する。二対のうちの一対は共通電圧（Ｖｃｏｍ）に対して正の値を有し、他の一対は負の値を有する。
【００７３】
第１走査駆動部１０２は、パネル組立体５２の第１走査ライン（Ｓ１−Ｓｎ）と連結されて、スイッチオン電圧（Ｖｏｎ）とスイッチオフ電圧（Ｖｏｆｆ）の組み合わせから成る第１走査信号を第１走査ライン（Ｓ１−Ｓｎ）に印加する。
【００７４】
第１データ駆動部１０４は、パネル組立体５２の第１データライン（Ｄ１−Ｄｍ）に連結され、階調電圧生成部１０６から階調電圧を選択し、これをデータ信号として第１データライン（Ｄ１−Ｄｍ）に印加する。しかしながら、階調電圧生成部１０６が全ての階調に対する電圧を全て提供するものではなく、定められた数の基準階調電圧だけを提供する場合に、第１データ駆動部１０４は基準階調電圧を分圧して全体階調に対する階調電圧を生成してこの中でデータ信号を選択する。
【００７５】
信号制御部１０８は、第１走査駆動部１０２と第１データ駆動部１０４を制御し、発光装置制御部１１０は発光装置１０の第２走査駆動部１１４と第２データ駆動部１１２を制御する。信号制御部１０８は、外部のグラフィック制御器（図示せず）から入力映像信号（Ｒ、Ｇ、Ｂ）及びこれの表示を制御する入力制御信号を受信する。
【００７６】
入力映像信号（Ｒ、Ｇ、Ｂ）は各第１画素（ＰＸ）の輝度情報を含んでおり、輝度は定められた数、例えば、１０２４（＝２１０）、２５６（＝２８）または６４（＝２６）個の階調を有している。入力制御信号の例としては垂直同期信号（Ｖｓｙｎｃ）と水平同期信号（Ｈｓｙｎｃ）、メインクロック（ＭＣＬＫ）、データイネーブル信号（ＤＥ）等がある。
【００７７】
信号制御部１０８は、入力映像信号（Ｒ、Ｇ、Ｂ）と入力制御信号に基づいて入力映像信号（Ｒ、Ｇ、Ｂ）を液晶パネル組立体５２の動作条件に合うように適切に処理し、第１走査駆動部制御信号（ＣＯＮＴ１）及び第１データ駆動部制御信号（ＣＯＮＴ２）等を生成した後、第１走査駆動部制御信号（ＣＯＮＴ１）を第１走査駆動部１０２に送り、第１データ駆動部制御信号（ＣＯＮＴ２）と処理した映像信号（ＤＡＴ）を第１データ駆動部１０４に送る。
【００７８】
発光装置（１０Ａ）の表示部１１６は複数の第２画素（ＥＰＸ）を含み、各第２画素（ＥＰＸ）は一つの第２走査ライン（Ｓ’１−Ｓ’ｐ）及び一つの第２データライン（Ｃ１−Ｃｑ）に連結されている。各第２画素（ＥＰＸ）は第２走査ライン（Ｓ’１−Ｓ’ｐ）と第２データライン（Ｃ１−Ｃｑ）に印加される電圧差により発光する。第２走査ライン（Ｓ’１−Ｓ’ｐ）は発光装置（１０Ａ）の走査電極と同一であり、第２データライン（Ｃ１−Ｃｑ）は発光装置（１０Ａ）のデータ電極と同一である。
【００７９】
信号制御部１０８は発光装置（１０Ａ）の一つの第２画素（ＥＰＸ）に対応する複数の第１画素（ＰＸ）に対する入力映像信号（Ｒ、Ｇ、Ｂ）を用いて、発光装置（１０Ａ）の発光制御信号を生成する。発光制御信号は、第２データ駆動部制御信号（ＣＤ）、発光信号（ＣＬＳ）及び第２走査駆動部制御信号（ＣＳ）を含む。第２データ駆動部制御信号（ＣＤ）、発光信号（ＣＬＳ）及び第２走査駆動部制御信号（ＣＳ）により、発光装置（１０Ａ）の各第２画素（ＥＰＸ）は複数の第１画素（ＰＸ）に対応して発光する。
【００８０】
具体的には、信号制御部１０８は発光装置（１０Ａ）の一つの第２画素（ＥＰＸ）に対応する複数の第１画素（ＰＸ）（以下、‘第１画素群’と称する。）に送り込む入力映像信号（Ｒ、Ｇ、Ｂ）を用いて、第１画素群の第１画素（ＰＸ）のうち一番高い階調を検出して発光装置制御部１１０に伝達する。発光装置制御部１１０は検出された階調により第２画素（ＥＰＸ）発光に必要な階調を算出して、これをディジタルデータに変換して第２データ駆動部１１２に伝達する。
【００８１】
本実施形態で発光信号（ＣＬＳ）は、第２画素（ＥＰＸ）の階調表現のために６ビット以上のディジタルデータを含む。そして第２データ駆動部制御信号（ＣＤ）は、それぞれの第２画素（ＥＰＸ）が自分と対応する第１画素群に同期されて発光できるようにする。つまり、一つの第２画素（ＥＰＸ）に対応する第１画素群に映像が表示されることに合わせて、第２画素（ＥＰＸ）が所定の階調で発光できるように同期させる。
【００８２】
第２データ駆動部１１２は、第２データ駆動部制御信号（ＣＤ）と発光信号（ＣＬＳ）に応じて第２データ信号を生成して、各第２データライン（Ｃ１−Ｃｑ）に印加する。
【００８３】
また、発光装置制御部１１０は、水平同期信号（Ｈｓｙｎｃ）を用いて、発光装置（１０Ａ）の第２走査駆動部制御信号（ＣＳ）を生成する。つまり、第２走査駆動部１１４は第２走査ライン（Ｓ’１−Ｓ’ｐ）に連結されており、第２走査駆動部制御信号（ＣＳ）に応じて第２走査信号を生成し、第２走査ライン（Ｓ’１−Ｓ’ｐ）に伝達する。発光装置１０の一つの第２画素（ＥＰＸ）に対応する第１画素群にスイッチオン電圧（Ｖｏｎ）が印加される間の、第２画素（ＥＰＸ）の第２走査ライン（Ｓ’１−Ｓ’ｐ）には第２走査信号が印加される。
【００８４】
そうすれば、第２画素（ＥＰＸ）は第２走査電圧と第２データ電圧によって、対応する第１画素群の階調に対応して発光する。本実施形態で第２画素（ＥＰＸ）の第２データライン（Ｃ１−Ｃｑ）には階調による電圧が印加され、第２走査ライン（Ｓ’１−Ｓ’ｐ）には一定した正の電圧が印加でき、第２画素（ＥＰＸ）は二つのラインの電圧差によって発光する。
【００８５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００８６】
【図１】本発明の一実施形態による発光装置の部分分解斜視図である。
【図２】本発明の一実施形態による発光装置の部分拡大分解斜視図である。
【図３】本発明の一実施形態による発光装置の部分拡大断面図である。
【図４】本発明の他の実施形態による発光装置の部分分解斜視図である。
【図５】本発明の一実施形態による表示装置の部分分解斜視図である。
【図６】本発明の一実施形態による表示装置を駆動する構成のブロック図である。
【符号の説明】
【００８７】
１０Ａ  発光装置
１２  第１基板
１３  密封部材
１４  第２基板
１８  電子放出ユニット
２０  発光ユニット
２２  第１電極
２４  絶縁層
２６  第２電極
２８  電子放出部
３０  蛍光層
３２  アノード電極
３４  スペーサ
３６  拡散部材
２４１、２６１  開口部
【図１】
2008135391.tif 000004
【図２】
2008135391.tif 000005
【図３】
2008135391.tif 000006
【図４】
2008135391.tif 000007
【図５】
2008135391.tif 000008
【図６】
2008135391.tif 000009